(57)【特許請求の範囲】
【請求項１】
サービング基地局が移動個体のハンドオーバをサポートする方法であって、
前記移動個体が移動端末であるか、又は移動セルであるかを判断するステップと、
前記移動個体が前記移動セルであると判断されたとき、隣接基地局から前記移動セルに対して割り当てられた識別子及びランダムアクセスプリアンブルを受信するステップと、
前記隣接基地局に対する測定設定を含む測定設定メッセージを前記移動セルに送信するステップと、
前記隣接基地局のうち前記移動セルがハンドオーバするターゲット基地局からハンドオーバ受諾メッセージを受信するステップと、
ＲＲＣ接続の再設定を指示するＲＲＣ接続再設定メッセージを前記移動セルに送信するステップと、
前記ハンドオーバ受諾メッセージの受信に従って、前記ターゲット基地局を除いたその他の隣接基地局から前記移動セルに対して割り当てられた識別子及び前記ランダムアクセスプリアンブルを前記その他の隣接基地局に返すステップと、
を含む、方法。
【請求項２】
前記移動セルが前記ハンドオーバの開始及び前記ターゲット基地局を決定する、請求項１に記載の方法。
【請求項３】
前記測定設定メッセージは、前記ハンドオーバを開始するか否かを決定するために前記移動セルに必要な情報をさらに含む、請求項１に記載の方法。
【請求項４】
前記ターゲット基地局から割り当てられた前記ランダムアクセスプリアンブルは、前記ハンドオーバの開始前に前記移動セルに提供される、請求項１に記載の方法。
【請求項５】
移動個体のハンドオーバをサポートするサービング基地局であって、
プロセッサと、
バックホールインターフェースと、
無線インターフェースと、を含み、
前記プロセッサは、前記無線インターフェース及び前記バックホールインターフェースを制御し、前記移動個体が移動端末であるか、又は移動セルであるかを判断するよう構成され、
前記バックホールインターフェースは、前記移動個体が前記移動セルであると判断されたとき、隣接基地局から前記移動セルに対して割り当てられた識別子及びランダムアクセスプリアンブルを受信し、前記隣接基地局のうち前記移動セルがハンドオーバするターゲット基地局からハンドオーバ受諾メッセージを受信し、
前記無線インターフェースは、前記隣接基地局に対する測定設定を含む測定設定メッセージを前記移動セルに送信し、ＲＲＣ接続の再設定を指示するＲＲＣ接続再設定メッセージを前記移動セルに送信し、前記ハンドオーバ受諾メッセージの受信に従って、前記ターゲット基地局を除いたその他の隣接基地局から前記移動セルに対して割り当てられた識別子及び前記ランダムアクセスプリアンブルを前記その他の隣接基地局に返す、サービング基地局。
【請求項６】
前記移動セルが前記ハンドオーバの開始及び前記ターゲット基地局を決定する、請求項５に記載のサービング基地局。
【発明の詳細な説明】
【技術分野】
【０００１】
本発明は、無線通信システムに関し、より詳細には、移動セル（ｍｏｖｉｎｇ  ｃｅｌｌ）がハンドオーバ（ｈａｎｄｏｖｅｒ）を行う方法及び装置に関する。
【背景技術】
【０００２】
無線通信システムは、音声やデータなどの多様な種類の通信サービスを提供するために広範囲に展開されている。一般に、無線通信システムは、可用なシステム資源（帯域幅、伝送パワーなど）を共有し、多重使用者との通信をサポートできる多重接続（ｍｕｌｔｉｐｌｅ  ａｃｃｅｓｓ）システムである。多重接続システムの例としては、ＣＤＭＡ（Ｃｏｄｅ  Ｄｉｖｉｓｉｏｎ  Ｍｕｌｔｉｐｌｅ  Ａｃｃｅｓｓ）システム、ＦＤＭＡ（Ｆｒｅｑｕｅｎｃｙ  Ｄｉｖｉｓｉｏｎ  Ｍｕｌｔｉｐｌｅ  Ａｃｃｅｓｓ）システム、ＴＤＭＡ（Ｔｉｍｅ  Ｄｉｖｉｓｉｏｎ  Ｍｕｌｔｉｐｌｅ  Ａｃｃｅｓｓ）システム、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）システム、ＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）システムなどがある。
【０００３】
最近、様々な形態のスモールセル（Ｓｍａｌｌ  Ｃｅｌｌ）、例えば、ピコセルやフェムトセルがマクロセルと連動する形態に無線接続網構造が変化している。Ｃｅｌｌ構造を多層化することによってデータ伝送率とＱｏＥを向上させることができる。３ＧＰＰでは、スモールセルの改善のために、低電力ノードを使用する室内（Ｉｎｄｏｏｒ）／室外（Ｏｕｔｄｏｏｒ）シナリオが議論されており、これは、３ＧＰＰ  ＴＲ  ３６．９３２に記述されている。また、マクロセルとスモールセルに対する同時接続性（Ｄｕａｌ  Ｃｏｎｎｅｃｔｉｖｉｔｙ）が議論されている。このように、将来の無線通信環境では多くのスモールセルが使用されるに伴い、端末とセルが物理的にさらに近くに位置するようになると予想される。
【発明の概要】
【発明が解決しようとする課題】
【０００４】
本発明で達成しようとする技術的課題は、移動セルがターゲットセルにハンドオーバを行うのに必要なターゲットセルの情報を効率的に取得することによって、移動セルがハンドオーバを迅速に行う方法を提供することにある。
【０００５】
本発明で達成しようとする技術的課題は、前記技術的課題に制限されず、言及していない更に他の技術的課題は、下記の記載から本発明の属する技術分野で通常の知識を有する者に明確に理解されるであろう。
【課題を解決するための手段】
【０００６】
本発明の一態様によるサービング基地局が移動個体（ｍｏｖｉｎｇ  ｅｎｔｉｔｙ）のハンドオーバをサポートする方法は、隣接基地局に対する測定設定（ｍｅａｓｕｒｅｍｅｎｔ  ｃｏｎｆｉｇｕｒａｔｉｏｎ）を含む測定設定メッセージを前記移動個体に伝送するステップ、前記隣接基地局のうち前記移動個体がハンドオーバするターゲット基地局からハンドオーバ受諾メッセージ（ｈａｎｄｏｖｅｒ  ａｃｃｅｐｔ）を受信するステップ、及び前記移動個体にＲＲＣ（Ｒａｄｉｏ  Ｒｅｓｏｕｒｃｅ  Ｃｏｎｔｒｏｌ）接続を再設定することを指示するＲＲＣ接続再設定メッセージを伝送するステップを含み、前記移動個体（ｍｏｖｉｎｇ  ｅｎｔｉｔｙ）が移動端末（ｍｏｂｉｌｅ  ｔｅｒｍｉｎａｌ）であるか、又は移動セル（ｍｏｖｉｎｇ  ｃｅｌｌ）であるかによって、前記ハンドオーバの開始（ｉｎｉｔｉａｔｉｏｎ）及び前記ターゲット基地局を選択する方式が決定される。
【０００７】
本発明の他の態様によって、移動セル（ｍｏｖｉｎｇ  ｃｅｌｌ）がハンドオーバを行う方法は、サービング基地局から受信された測定設定メッセージに基づいて隣接基地局を測定するステップ、前記隣接基地局を測定した結果に基づいて、ハンドオーバの開始及びターゲット基地局を決定するステップ、及び前記サービング基地局に対するＲＲＣ（Ｒａｄｉｏ  Ｒｅｓｏｕｒｃｅ  Ｃｏｎｔｒｏｌ）接続状態で、前記ターゲット基地局にランダムアクセスプリアンブルを伝送するステップを含み、前記移動セルでサーブされる移動端末がハンドオーバを行う場合、前記移動セルは、前記移動端末がランダムアクセスプリアンブルを伝送する前に前記移動端末のＲＲＣ接続を解除する。
【０００８】
本発明の更に他の態様によって、移動個体（ｍｏｖｉｎｇ  ｅｎｔｉｔｙ）のハンドオーバをサポートするサービング基地局は、隣接基地局に対する測定設定（ｍｅａｓｕｒｅｍｅｎｔ  ｃｏｎｆｉｇｕｒａｔｉｏｎ）を含む測定設定メッセージを前記移動個体に伝送し、前記移動個体にＲＲＣ（Ｒａｄｉｏ  Ｒｅｓｏｕｒｃｅ  Ｃｏｎｔｒｏｌ）接続を再設定することを指示するＲＲＣ接続再設定メッセージを伝送する無線インターフェース、前記隣接基地局のうち前記移動個体がハンドオーバするターゲット基地局からハンドオーバ受諾メッセージ（ｈａｎｄｏｖｅｒ  ａｃｃｅｐｔ）を受信するバックホールインターフェース、及び前記無線インターフェース及び前記バックホールインターフェースを制御するプロセッサを含み、前記移動個体が移動端末（ｍｏｂｉｌｅ  ｔｅｒｍｉｎａｌ）であるか、又は移動セル（ｍｏｖｉｎｇ  ｃｅｌｌ）であるかによって、前記ハンドオーバの開始（ｉｎｉｔｉａｔｉｏｎ）及び前記ターゲット基地局を選択する方式が決定される。
【発明の効果】
【０００９】
本発明の一実施例によれば、移動セルが自分でハンドオーバを決定し、ターゲットセルの情報を効率的に取得することによって、ハンドオーバの実行に必要な時間を短縮させることができ、ハンドオーバによる移動セルのデータ切れを最小化することができる。
【００１０】
本発明で得られる効果は、以上で言及した各効果に制限されず、言及していない更に他の効果は、以下の記載から本発明の属する技術分野における通常の知識を有する者に明確に理解されるであろう。
【図面の簡単な説明】
【００１１】
【図１】無線フレームの構造を例示する図である。
【図２】下りリンクスロットでのリソースグリッドを示す図である。
【図３】下りリンクサブフレームの構造を示す図である。
【図４】上りリンクサブフレームの構造を示す図である。
【図５】ＦＤＤシステムにおけるＰＳＳ／ＳＳＳを説明するための図である。
【図６】ＰＢＣＨを説明するための図である。
【図７】端末のハンドオーバ手順を説明するための図である。
【図８】本発明の一実施例に係る移動セルのハンドオーバ手順を説明するための図である。
【図９】本発明の他の一実施例に係る移動セルのハンドオーバ手順を説明するための図である。
【図１０】本発明の一実施例に係る移動セルの移動軌跡を説明するための図である。
【図１１】本発明の一実施例に係る移動セルのハンドオーバ前処理過程を説明するための図である。
【図１２】本発明の他の一実施例に係る移動セルの移動軌跡を説明するための図である。
【図１３】本発明の他の一実施例に係る移動セルのハンドオーバ前処理過程を説明するための図である。
【図１４】本発明の更に他の一実施例に係る移動セルのハンドオーバ手順を説明するための図である。
【図１５】本発明の更に他の一実施例に係る移動セルのハンドオーバ前処理過程を説明するための図である。
【図１６】本発明の一実施例に係るセル（Ｃｅｌｌ）を示す図である。
【図１７】本発明の一実施例に係る端末と基地局の構造を示した図である。
【発明を実施するための形態】
【００１２】
以下の実施例は、本発明の構成要素と特徴を所定の形態で結合したものである。各構成要素又は特徴は、特別の言及がない限り、選択的なものと考慮すればよい。各構成要素又は特徴は、他の構成要素や特徴と結合していない形態で実施されもてよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【００１３】
本明細書において、本発明の実施例を、基地局と端末間のデータ送信及び受信の関係を中心に説明する。ここで、基地局は、端末と通信を直接行うネットワークの終端ノード（ｔｅｒｍｉｎａｌ  ｎｏｄｅ）としての意味を持つ。本文書で基地局によって行われるとした特定動作は、場合によっては基地局の上位ノード（ｕｐｐｅｒ  ｎｏｄｅ）によって行われることもある。
【００１４】
すなわち、基地局を含めた複数のネットワークノード（ｎｅｔｗｏｒｋ  ｎｏｄｅｓ）からなるネットワークにおいて端末との通信のために行われる様々な動作は、基地局、又は基地局以外の他のネットワークノードによって行われ得ることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ＡＰ：Ａｃｃｅｓｓ  Ｐｏｉｎｔ）などの用語に置き換えてもよい。中継機は、ＲＮ（Ｒｅｌａｙ  Ｎｏｄｅ）、ＲＳ（Ｒｅｌａｙ  Ｓｔａｔｉｏｎ）などの用語に置き換えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に置き換えてもよい。
【００１５】
以下の説明で使われる特定用語は、本発明の理解を助けるために提供されるものであり、このような特定用語の使用は、本発明の技術的思想から逸脱しない範囲で他の形態に変更してもよい。
【００１６】
場合によって、本発明の概念が曖昧になることを避けるために、公知の構造及び装置は省略されたり、各構造及び装置の核心機能を中心にしたブロック図の形式で図示されることもある。また、本明細書全体を通じて同一の構成要素には同一の図面符号を付して説明する。
【００１７】
本発明の実施例は、無線接続システムであるＩＥＥＥ ８０２システム、３ＧＰＰシステム、３ＧＰＰ ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【００１８】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。ＵＴＲＡはＵＭＴＳ（Ｕｎｉｖｅｒｓａｌ  Ｍｏｂｉｌｅ  ＴｅｌｅｃｏｍｍｕｎｉｃａｔｉｏｎｓＳｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部で、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ ＬＴＥの進展である。ＷｉＭＡＸは、ＩＥＥＥ ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進展したＩＥＥＥ ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では３ＧＰＰ ＬＴＥ及び３ＧＰＰ ＬＴＥ−Ａシステムを中心に説明するが、本発明の技術的思想がこれに制限されることはない。
【００１９】
図１を参照して３ＧＰＰ ＬＴＥシステムの無線フレーム構造について説明する。
【００２０】
セルラーＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）無線パケット通信システムにおいて、上り／下りリンクデータパケット送信はサブフレーム（ｓｕｂｆｒａｍｅ）単位で行われ、１サブフレームは複数のＯＦＤＭシンボルを含む一定時間区間で定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２の無線フレーム構造を支援する。
【００２１】
図１（ａ）は、タイプ１の無線フレーム構造を示す図である。１個の無線フレーム（ｒａｄｉｏｆｒａｍｅ）は１０個のサブフレーム（ｓｕｂｆｒａｍｅ）で構成され、１個のサブフレームは時間領域（ｔｉｍｅ  ｄｏｍａｉｎ）において２個のスロット（ｓｌｏｔ）で構成される。１サブフレームを送信するために掛かる時間をＴＴＩ（ｔｒａｎｓｍｉｓｓｉｏｎ  ｔｉｍｅ  ｉｎｔｅｒｖａｌ）といい、例えば、１サブフレームの長さは１ｍｓで、１スロットの長さは０．５ｍｓであってよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ ＬＴＥシステムでは下りリンクにおいてＯＦＤＭＡを用いるため、ＯＦＤＭシンボルが１つのシンボル区間を表す。ＯＦＤＭシンボルはまた、ＳＣ−ＦＤＭＡシンボル又はシンボル区間と呼ばれることもある。リソースブロック（Ｒｅｓｏｕｒｃｅ  Ｂｌｏｃｋ；ＲＢ）はリソース割当単位であり、１スロットにおいて複数個の連続した副搬送波（ｓｕｂｃａｒｒｉｅｒ）を含むことができる。
【００２２】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張ＣＰ（ｅｘｔｅｎｄｅｄ  ＣＰ）と正規ＣＰ（ｎｏｒｍａｌ  ＣＰ）がある。例えば、ＯＦＤＭシンボルが正規ＣＰによって構成された場合、１スロットに含まれるＯＦＤＭシンボルの数は７個であってよい。ＯＦＤＭシンボルが拡張ＣＰによって構成された場合、１ ＯＦＤＭシンボルの長さが増えるため、１スロットに含まれるＯＦＤＭシンボルの数は正規ＣＰの場合に比べて少ない。拡張ＣＰの場合に、例えば、１スロットに含まれるＯＦＤＭシンボルの数は６個であってよい。端末が高速で移動するなどの場合のようにチャネル状態が安定していない場合、シンボル間干渉をより減らすために拡張ＣＰを用いればよい。
【００２３】
図１（ｂ）は、タイプ２の無線フレーム構造を示す図である。タイプ２の無線フレームは、２個のハーフフレーム（ｈａｌｆ  ｆｒａｍｅ）で構成され、各ハーフフレームは、５個のサブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）及びＵｐＰＴＳ（Ｕｐｌｉｎｋ  Ｐｉｌｏｔ  Ｔｉｍｅ  Ｓｌｏｔ）で構成され、１個のサブフレームは２個のスロットで構成される。ＤｗＰＴＳは、端末での初期セル探索、同期化又はチャネル推定のために用いられる。ＵｐＰＴＳは、基地局でチャネル推定及び端末と上り送信同期を取るために用いられる。保護区間は、上りリンクと下りリンクとの間に下りリンク信号の多重経路遅延によって上りリンクで生じる干渉を除去するための区間である。一方、無線フレームのタイプによらず、１個のサブフレームは２個のスロットで構成される。
【００２４】
無線フレームの構造は例示に過ぎず、無線フレームに含まれるサブフレームの数、サブフレームに含まれるスロットの数、又はスロットに含まれるシンボルの数は様々に変更されてもよい。
【００２５】
図２は、下りリンクスロットでのリソースグリッド（ｒｅｓｏｕｒｃｅ  ｇｒｉｄ）を示す図である。同図では、１個の下りリンクスロットが時間領域において７個のＯＦＤＭシンボルを含み、１個のリソースブロック（ＲＢ）が周波数領域において１２個の副搬送波を含むとしているが、本発明はこれに制限されない。例えば、正規ＣＰでは１スロットが７ ＯＦＤＭシンボルを含むが、拡張ＣＰでは１スロットが６ ＯＦＤＭシンボルを含むことができる。リソースグリッド上のそれぞれの要素をリソース要素（ｒｅｓｏｕｒｃｅ  ｅｌｅｍｅｎｔ）という。１リソースブロックは１２×７リソース要素を含んでいる。下りリンクスロットに含まれるリソースブロックのＮDLの個数は下りリンク送信帯域幅による。上りリンクスロットの構造は下りリンクスロットの構造と同一であってよい。
【００２６】
図３は、下りリンクサブフレームの構造を示す図である。一つのサブフレームにおいて第１のスロットの先頭部における最大３個のＯＦＤＭシンボルは、制御チャネルが割り当てられる制御領域に該当する。残りのＯＦＤＭシンボルは、物理下りリンク共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ ＬＴＥシステムにおいて用いられる下りリンク制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ；ＰＨＩＣＨ）などがある。ＰＣＦＩＣＨは、サブフレームの最初のＯＦＤＭシンボルで送信され、サブフレーム内の制御チャネル送信に使われるＯＦＤＭシンボルの個数に関する情報を含む。ＰＨＩＣＨは、上りリンク送信の応答としてＨＡＲＱ ＡＣＫ／ＮＡＣＫ信号を含む。ＰＤＣＣＨを介して送信される制御情報を下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクのスケジューリング情報を含んだり、任意の端末グループに対する上りリンク送信電力制御命令を含む。ＰＤＣＣＨは、下りリンク共有チャネル（ＤＬ−ＳＣＨ）のリソース割当及び送信フォーマット、上りリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信されてもよく、端末は複数のＰＤＣＣＨをモニタすることができる。ＰＤＣＣＨは、一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で送信される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマットと利用可能なビット数は、ＣＣＥの個数とＣＣＥによって提供されるコーディングレートとの相関関係によって決定される。基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることもできる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることもできる。端末のランダムアクセスプリアンブルの送信に対する応答であるランダムアクセス応答を表すために、ランダムアクセス−ＲＮＴＩ（ＲＡ−ＲＮＴＩ）をＣＲＣにマスクすることもできる。
【００２７】
図４は、上りリンクサブフレームの構造を示す図である。上りリンクサブフレームは、周波数領域で制御領域とデータ領域とに分割されてもよい。制御領域には、上りリンク制御情報を含む物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザデータを含む物理上りリンク共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波の特性を維持するために、一つの端末はＰＵＣＣＨとＰＵＳＣＨを同時に伝送しない。一つの端末に対するＰＵＣＣＨは、サブフレームにおいてリソースブロック対（ＲＢ  ｐａｉｒ）に割り当てられる。リソースブロック対に属するリソースブロックは、２スロットに対して異なる副搬送波を占める。これを、ＰＵＣＣＨに割り当てられるリソースブロック対がスロット境界で周波数ホッピング（ｆｒｅｑｕｅｎｃｙ−ｈｏｐｐｅｄ）されるという。
【００２８】
ＰＳＳ（Ｐｒｉｍａｒｙ  ｓｙｎｃｈｒｏｎｏｕｓ  ｓｉｇｎａｌ）／ＳＳＳ（Ｓｅｃｏｎｄａｒｙ  Ｓｙｎｃｈｒｏｎｏｕｓ  Ｓｉｇｎａｌ）
図５は、ＬＴＥ／ＬＴＥ−Ａシステムにおいてセル探索（ｃｅｌｌ  ｓｅａｒｃｈ）に使用される同期信号であるＰＳＳ及びＳＳＳを説明するための図である。ＰＳＳ及びＳＳＳを説明する前に、セル探索について説明すると、セル探索は、端末が最初にセルに接続する場合、現在接続されているセルから他のセルにハンドオーバを行う場合、又はセル再選択（Ｃｅｌｌ  ｒｅｓｅｌｅｃｔｉｏｎ）の場合などのために行うものであって、セルに対する周波数及びシンボル同期取得、セルの下りリンクフレーム同期取得、及びセル識別子（ＩＤ）の決定からなることができる。セル識別子は、３個が一つのセルグループをなし、セルグループは１６８個が存在することができる。
【００２９】
セル探索のために、基地局ではＰＳＳ及びＳＳＳを伝送する。端末は、ＰＳＳを検出して、セルの５ｍｓタイミングを取得し、セルグループ内のセル識別子に対して知ることができる。また、端末は、ＳＳＳを検出してラジオフレームタイミング及びセルグループを知ることができる。
【００３０】
図５を参照すると、ＰＳＳは、０番及び５番サブフレームで伝送され、より詳細には、０番及び５番サブフレームにおいて最初のスロットの最後のＯＦＤＭシンボルで伝送される。また、ＳＳＳは、０番及び５番サブフレームの最初のスロットの最後から２番目のＯＦＤＭシンボルで伝送される。すなわち、ＳＳＳは、ＰＳＳが伝送される直前のＯＦＤＭシンボルで伝送される。このような伝送タイミングはＦＤＤの場合であり、ＴＤＤの場合、ＰＳＳは１番及び６番サブフレームの３番目のシンボル、すなわち、ＤｗＰＴＳで伝送され、ＳＳＳは０番及び５番サブフレームの最後のシンボルで伝送される。すなわち、ＴＤＤにおいて、ＳＳＳは、ＰＳＳよりも３シンボルの前で伝送される。
【００３１】
ＰＳＳは、長さ６３のザドフチュー（Ｚａｄｏｆｆ−Ｃｈｕ）シーケンスであり、実際の伝送においては、シーケンスの両端に０がパディングされ、シーケンスがシステム周波数帯域幅の中央の７３個の副搬送波（ＤＣ副搬送波を除けば７２個の副搬送波、すなわち、６ＲＢ）上に伝送される。ＳＳＳは、長さ３１の２つのシーケンスが周波数インターリーブされた長さ６２のシーケンスからなり、ＰＳＳと同様に、全体システム帯域幅の中央の７２個の副搬送波上で伝送される。
【００３２】
ＰＢＣＨ（Ｐｈｙｓｉｃａｌ  Ｂｒｏａｄｃａｓｔ  Ｃｈａｎｎｅｌ）
図６は、ＰＢＣＨを説明するための図である。ＰＢＣＨは、主情報ブロック（Ｍａｓｔｅｒ  Ｉｎｆｏｒｍａｔｉｏｎ  Ｂｌｏｃｋ、ＭＩＢ）に該当するシステム情報が伝送されるチャネルであって、端末が上述したＰＳＳ／ＳＳＳを介して下りリンク同期を取得し、セル識別子を取得した後、システム情報を取得するのに使用される。ここで、ＭＩＢには、下りリンクセル帯域幅情報、ＰＨＩＣＨ設定情報、サブフレーム番号（Ｓｙｓｔｅｍ  Ｆｒａｍｅ  Ｎｕｍｂｅｒ、ＳＦＮ）などが含まれてもよい。
【００３３】
ＭＩＢは、図６に示したように、一つのＭＩＢ伝送ブロックが、４個の連続した無線フレームにおいてそれぞれ最初のサブフレームを介して伝送される。より詳細に説明すると、ＰＢＣＨは、４個の連続した無線フレームにおいて０番サブフレームの２番目のスロットの先頭４個のＯＦＤＭシンボルで伝送される。したがって、一つのＭＩＢを伝送するＰＢＣＨは、４０ｍｓの周期で伝送される。ＰＢＣＨは、周波数軸において全体帯域幅の中央の７２個の副搬送波上で伝送され、これは、最も小さい下りリンク帯域幅である６ＲＢに該当するもので、端末が全体システム帯域幅の大きさを知らない場合にも問題なくＢＣＨを復号できるようにするためである。
【００３４】
端末（ＵＥ）のハンドオーバ
図７は、端末のハンドオーバ手順を説明するための図である。
【００３５】
図７において、ネットワークシステムは、端末、ソース基地局（Ｓｏｕｒｃｅ  ｅＮＢ）及びターゲット基地局（Ｔａｒｇｅｔ  ｅＮＢ）を含むことができる。このとき、ソース基地局は、端末にスケジューリングサービスを提供するサービング基地局（又はサービングセル）であり、ターゲット基地局（又はターゲットセル）は、ハンドオーバが完了した後に端末にスケジューリングサービスを提供する基地局である。また、ソース基地局及びターゲット基地局は固定セルであるか、又は移動セルであってもよい。例えば、端末は、固定セルから移動セルにハンドオーバするか、又は移動セルから固定セルに移動することができる。端末は、同種のセルにハンドオーバすることもできる。固定セルは、レガシーセルとして理解することができ、移動セルは、本発明の実施例によって新たに定義されるセルであって、移動セルについては詳細に後述する。
【００３６】
図７を参照すると、端末は、ソース基地局に、隣接セルに対する測定結果を含む測定報告メッセージを伝送する（Ｓ６０１）。ここで、測定報告には、参照信号受信電力（Ｒｅｆｅｒｅｎｃｅ  ｓｉｇｎａｌ  ｒｅｃｅｉｖｅ  ｐｏｗｅｒ、ＲＳＲＰ）、受信信号強度インジケータ（Ｒｅｃｅｉｖｅｄ  ｓｉｇｎａｌ  ｓｔｒｅｎｇｔｈ  ｉｎｄｉｃａｔｏｒ、ＲＳＳＩ）、参照信号受信品質（Ｒｅｆｅｒｅｎｃｅ  ｓｉｇｎａｌ  ｒｅｃｅｉｖｅｄ  ｑｕａｌｉｔｙ、ＲＳＲＱ）などが含まれてもよい。ＲＳＲＰは、下りリンクＲＳの大きさを測定することによって得ることができる測定値である。ＲＳＳＩは、端末での総受信電力値であって、隣接するセルからの干渉及びノイズ電力などを含む測定値である。ＲＳＲＱは、Ｎ＊ＲＳＲＰ／ＲＳＳＩに基づいて取得される値であり、このとき、Ｎは、ＲＳＳＩの測定時の帯域幅のＲＢ個数である。
【００３７】
測定報告は、次のようなイベントベースの測定報告判定によってその伝送が決定されてもよい。測定報告判定のためのイベントには、ｉ）サービングセル（ｓｅｒｖｉｎｇ  ｃｅｌｌ）に対する測定値が絶対閾値よりも大きい場合（Ｓｅｒｖｉｎｇ  ｃｅｌｌ  ｂｅｃｏｍｅｓ  ｂｅｔｔｅｒ  ｔｈａｎ  ａｂｓｏｌｕｔｅ  ｔｈｒｅｓｈｏｌｄ）、ｉｉ）サービングセルに対する測定値が絶対閾値よりも小さくなる場合（Ｓｅｒｖｉｎｇ  ｃｅｌｌ  ｂｅｃｏｍｅｓ  ｗｏｒｓｅ  ｔｈａｎ  ａｂｓｏｌｕｔｅ  ｔｈｒｅｓｈｏｌｄ）、ｉｉｉ）隣接セル（ｎｅｉｇｈｂｏｒｉｎｇ）に対する測定値がサービングセルの測定値よりもオフセット値だけ大きくなる場合（Ｎｅｉｇｈｂｏｒｉｎｇ  ｃｅｌｌ  ｂｅｃｏｍｅｓ  ｂｅｔｔｅｒ  ｔｈａｎ  ａｎ  ｏｆｆｓｅｔ  ｒｅｌａｔｉｖｅ  ｔｏ  ｔｈｅ  ｓｅｒｖｉｎｇ  ｃｅｌｌ）、ｉｖ）隣接セルに対する測定値が絶対閾値よりも大きくなる場合（Ｎｅｉｇｈｂｏｒｉｎｇ  ｃｅｌｌ  ｂｅｃｏｍｅｓ  ｂｅｔｔｅｒ  ｔｈａｎ  ａｂｓｏｌｕｔｅ  ｔｈｒｅｓｈｏｌｄ）、及びｖ）サービングセルに対する測定値が絶対閾値よりも小さくなり、隣接セルに対する測定値が他の絶対閾値よりも大きくなる場合（Ｓｅｒｖｉｎｇ  ｃｅｌｌ  ｂｅｃｏｍｅｓ  ｗｏｒｓｅ  ｔｈａｎ  ｏｎｅ  ａｂｓｏｌｕｔｅ  ｔｈｒｅｓｈｏｌｄ  ａｎｄ  Ｎｅｉｇｈｂｏｒｉｎｇ  ｃｅｌｌ  ｂｅｃｏｍｅｓ  ｂｅｔｔｅｒ  ｔｈａｎ  ａｎｏｔｈｅｒ  ａｂｓｏｌｕｔｅ  ｔｈｒｅｓｈｏｌｄ）のうちの少なくとも１つのイベントが含まれてもよく、これに限定されない。ここで、測定値は、上述したＲＳＲＰなどであってもよい。キャリアアグリゲーション環境で、サービングセルは、イベントに応じてＰＣｅｌｌ又はＳＣｅｌｌを意味し得る。
【００３８】
ソース基地局は、端末がハンドオーバを行うか否か、及び端末がハンドオーバするターゲット基地局を決定することができる（Ｓ６０３）。
【００３９】
ソース基地局は、ハンドオーバを行うためにターゲット基地局にハンドオーバ要求メッセージを伝送することができる（Ｓ６０５）。例えば、ソース基地局は、ターゲット基地局に端末の無線リソース制御（Ｒａｄｉｏ  Ｒｅｓｏｕｒｃｅ  Ｃｏｎｔｒｏｌ、ＲＲＣ）コンテキスト情報を提供する。
【００４０】
ターゲット基地局は、ＲＲＣコンテキスト情報に基づいて、端末のハンドオーバを承認するか否かを決定する（Ｓ６０７）。
【００４１】
端末のハンドオーバが承認された場合、ターゲット基地局は、ＨＯ要求確認（ＨＯ  ｒｅｑｕｅｓｔ  Ａｃｋｎｏｗｌｅｄｇｅ）メッセージをソース基地局に伝送する（Ｓ６０９）。
【００４２】
ＨＯ要求確認メッセージを受信したソース基地局は、ＨＯ過程の実行を指示するためにＲＲＣ接続再設定メッセージを端末に伝送する（Ｓ６１１）。ＲＲＣ接続再設定メッセージは、ターゲット基地局でサーブされる端末に共通に適用される無線リソース設定情報、保安設定、セル識別子（Ｃ−ＲＮＴＩ）などを含むことができる。例えば、ＲＲＣ接続再設定メッセージは、測定設定（Ｍｅａｓｕｒｅｍｅｎｔ  Ｃｏｎｆｉｇｕｒａｔｉｏｎ）ＩＥ（ｉｎｆｏｒｍａｔｉｏｎ  ｅｌｅｍｅｎｔ）、移動性制御（Ｍｏｂｉｌｉｔｙ  Ｃｏｎｔｒｏｌ）ＩＥ、無線リソース設定（Ｒａｄｉｏ  Ｒｅｓｏｕｒｃｅ  Ｃｏｎｆｉｇｕｒａｔｉｏｎ）ＩＥ（例えば、ターゲット基地局のＲＢ、ＭＡＣ設定、そして、物理チャネル設定（Ｐｈｙｓｉｃａｌ  Ｃｈａｎｎｅｌ  Ｃｏｎｆｉｇｕｒａｔｉｏｎ）、ターゲット基地局のシステム情報を含むＳＩＢ）及び保安設定（Ｓｅｃｕｒｉｔｙ  Ｃｏｎｆｉｇｕｒａｔｉｏｎ）ＩＥのうちの少なくとも１つのＩＥを含むことができる。表１は、移動性制御（Ｍｏｂｉｌｉｔｙ  Ｃｏｎｔｒｏｌ）ＩＥから抜粋した一部を例示する。
【表１】
0006580585.tif 000002
【００４３】
表２は、移動性制御（Ｍｏｂｉｌｉｔｙ  Ｃｏｎｔｒｏｌ）ＩＥ内のｒａｄｉｏＲｅｓｏｕｒｃｅＣｏｎｆｉｇＣｏｍｍｏｎ  ＩＥから抜粋した一部を例示する。
【表２】
0006580585.tif 000003
【００４４】
表３は、移動性制御（Ｍｏｂｉｌｉｔｙ  Ｃｏｎｔｒｏｌ）ＩＥ内のＲＡＣＨ−ＣｏｎｆｉｇＤｅｄｉｃａｔｅｄ  ＩＥを例示する。
【表３】
0006580585.tif 000004
【００４５】
ＲＲＣ接続再設定メッセージを受信した端末は、既存のセル（すなわち、ソース基地局）から分離（ｄｅｔａｃｈ）され、新しいセル（すなわち、ターゲット基地局）と同期を取る過程を行うことができる（Ｓ６１３）。
【００４６】
ソース基地局は、端末がどのターゲット基地局にハンドオーバを行うかを知っているため、ターゲット基地局に、端末に伝送する格納されたパケットを伝達する（Ｓ６１５）。
【００４７】
ソース基地局は、バッファリングされたデータ又はパケットをターゲット基地局に伝達するために、まず、シーケンス番号（ＳＮ：Ｓｅｑｕｅｎｃｅ  Ｎｕｍｂｅｒ）状態伝達メッセージをターゲット基地局に伝送する（Ｓ６１７）。
【００４８】
一方、ＲＲＣ接続再設定メッセージを受信した端末は、ターゲット基地局に非競合ベースの任意接続手順を開始する。例えば、端末は、ターゲット基地局に任意接続プリアンブルを伝送する（Ｓ６１９）。端末は、ハンドオーバ命令（Ｈａｎｄｏｖｅｒ  Ｃｏｍｍａｎｄ）を介して指示されたランダムアクセスプリアンブルの集合から任意に（ｒａｎｄｏｍｌｙ）一つのランダムアクセスプリアンブルを選択し、ランダムアクセスプリアンブルを伝送できるＰＲＡＣＨ（Ｐｈｙｓｉｃａｌ  ＲＡＣＨ）リソースを選択して伝送する。ターゲット基地局は、任意接続プリアンブルに対する応答として、ＭＡＣ（Ｍｅｄｉｕｍ  Ａｃｃｅｓｓ  Ｃｏｎｔｒｏｌ）メッセージ又はＲＲＣメッセージを介して、上りリンクリソース割当情報及び上りリンク同期のためにタイミングアドバンス（ＴＡ：Ｔｉｍｉｎｇ  Ａｄｖａｎｃｅ）情報を端末に伝送する（Ｓ６２１）。
【００４９】
端末は、上りリンクリソース割当情報及びＴＡ情報に基づいてＲＲＣ接続再設定完了メッセージをターゲット基地局に伝送する（Ｓ６２３）。
【００５０】
もし、ターゲット基地局がＲＲＣ接続再設定完了メッセージを端末から受信すると、ターゲット基地局は、端末と関連する情報の除去を要求するＵＥコンテキスト解除メッセージを伝送する（Ｓ６２５）。
【００５１】
ＵＥコンテキスト解除メッセージを受信したサービング基地局は、端末に対するリソースを解除し、ハンドオーバ過程を完了する（Ｓ６２７）。
【００５２】
上述した端末のハンドオーバ手順は、大きく、ハンドオーバ準備（Ｐｒｅｐａｒａｔｉｏｎ）、ハンドオーバ実行（Ｅｘｅｃｕｔｉｏｎ）及びハンドオーバ完了（Ｃｏｍｐｌｅｔｉｏｎ）手順に区分され、ハンドオーバ実行手順で最も長い時間がかかる。ハンドオーバ実行時間（Ｅｘｅｃｕｔｉｏｎ  Ｔｉｍｅ）は、ソース基地局から端末がＲＲＣ接続再設定メッセージを受信（Ｓ６１１）した後から、ターゲット基地局が端末からハンドオーバ接続再設定完了メッセージを受信（Ｓ６２３）するまでの時間を意味する。ハンドオーバ実行手順で端末がＲＲＣ接続再設定メッセージを処理する間、端末はソース基地局との接続を切り、ソース基地局からのデータ受信を中断する。端末がターゲット基地局に同期化を行い、接続を設定する前に、ソース基地局はターゲット基地局に端末の下りリンクデータをフォワードする。このようなデータフォワーディングは、無線リソースを再設定する手順よりも迅速に行われる。したがって、ターゲット基地局にフォワードされたデータは、ＵＥがターゲット基地局からデータを受信する準備ができるまでは、ターゲット基地局のバッファに格納されて端末に伝送されることを待機する。
【００５３】
このように、ＲＲＣ接続再設定メッセージを受信した端末がソース基地局と分離手順を行った後から、ターゲット基地局との同期化を介してＲＲＣ接続再設定を完了するまでにかかる時間を、データ切れ時間（Ｄａｔａ  Ｉｎｔｅｒｒｕｐｔｉｏｎ  Ｔｉｍｅ）と定義する。現在の移動通信システムでデータ切れ時間（Ｄａｔａ  Ｉｎｔｅｒｒｕｐｔｉｏｎ  Ｔｉｍｅ）は、約１０．５ｍｓであり、各プロセスの具体的な時間は、表４の通りである。
【表４】
0006580585.tif 000005
【００５４】
移動セル（Ｍｏｖｉｎｇ  Ｃｅｌｌ）
マクロセル（Ｍａｃｒｏ  Ｃｅｌｌ）とスモールセル（Ｓｍａｌｌ  Ｃｅｌｌ）の階層的セル構造において、スモールセルのある形態として移動セルを考慮することができる。例えば、移動セルは、物理的に移動する装置（例えば、バス、トレイン、或いはスマートカーなどの交通手段）に装着された小型基地局であってもよい。一方、マクロセルは、従来と同様に固定されたセルであってもよい。
【００５５】
固定セル（又はマクロセル）と移動セルは階層的セル構造を形成するため、マクロセルの立場で、移動セルと端末はほぼ同一に見える。しかし、移動セルは、一般的な端末とは異なり、多数の端末による大容量の併合トラフィック（Ａｇｇｒｅｇａｔｅｄ  Ｔｒａｆｆｉｃ）を送受信することができなければならない。したがって、移動セルと固定セルとの間に大容量の併合トラフィック（Ａｇｇｒｅｇａｔｅｄ  Ｔｒａｆｆｉｃ）をサポートする無線のバックホールリンクが形成される。
【００５６】
一方、移動セルは端末をサーブしているため、端末の立場で移動セルは、他の端末ではなくサービングセルとして見なされる。移動セルは、物理的な移動とハンドオーバを介して、自身がサーブする端末にグループ移動性（Ｇｒｏｕｐ  Ｍｏｂｉｌｉｔｙ）を提供する。移動セルの内部での帯域内（Ｉｎ−ｂａｎｄ）通信は、全二重（Ｆｕｌｌ  Ｄｕｐｌｅｘ）方式をサポートすることができる。
【００５７】
表５のように様々なタイプの移動セルを考慮することができ、移動セルのタイプによるそれぞれの特性を考慮しなければならない。
【表５】
0006580585.tif 000006
【００５８】
例えば、移動セルの移動パターンを見ると、公共交通の場合、一定の軌跡に従って規則的に動いているが、スマートカーや個人化セルの場合、不規則な動きが発生し得る。このように、移動距離、移動速度又はトラフィックの大きさも、移動セルのタイプによって異なり得る。
【００５９】
端末のハンドオーバは、ソース基地局が端末から隣接基地局の測定報告を受信し、ソース基地局がターゲット基地局との交渉を通じて、ハンドオーバを行うか否かを端末に命令した。したがって、端末のハンドオーバはネットワーク主導的（ｉｎｉｔｉａｔｅｄ）である。
【００６０】
しかし、このような端末のハンドオーバ手順は、移動セルのハンドオーバにそのまま使用しにくい。移動セルは、多数の端末をサーブしているため、個別端末のハンドオーバよりは高い通信サービスの信頼性及び小さいデータ切れ時間が要求されるためである。移動セルに接続した端末は、移動セルを自身のサービングセルとして認識するため、移動セルは、端末にサービスを提供するにおいて、自身の移動による無線チャネル環境の変化に透明且つ堅固でなければならない。表４で説明したように、端末のハンドオーバには約１０．５ｍｓの遅延が発生し、移動セルのハンドオーバ手順は１０．５ｍｓよりも迅速に完了することが好ましい。移動セルは迅速に固定セルを感知してハンドオーバを完了することによって、移動セルは、自身がサーブする端末にデータ切れをはじめとするハンドオーバによる影響を最小化しなければならない。以下、移動セルのハンドオーバのための実施例をより具体的に説明する。
【００６１】
移動セル（Ｍｏｖｉｎｇ  Ｃｅｌｌ）のハンドオーバ
本発明の一実施例によれば、移動セルのハンドオーバ遅延を最小化するために、移動セルがハンドオーバを決定及びトリガする。例えば、移動セルは、ソース基地局への測定報告なしにターゲット基地局に直接接続する。移動セルは、測定結果に基づいて、ターゲット基地局を直接決定し、及びハンドオーバを開始することによって、データ切れ時間を短縮させることができる。
【００６２】
図８は、本発明の一実施例に係る移動セルのハンドオーバ手順を示した図である。
【００６３】
図８を参照すると、ソース基地局は、移動セルに測定制御メッセージを伝送する（Ｓ８００）。測定制御メッセージは、ＲＲＣシグナリングを介して移動セルに伝送されてもよい。測定制御メッセージは、移動セルがサービングセルと隣接セルの測定を行うのに必要な情報を含む。例えば、移動セルが測定を行う時間／頻度／周期、測定対象となるサービングセル又は隣接セルに関する情報（例えば、ｃｅｌｌ  ＩＤ）、測定が禁止されるセルを列挙したブラックリスト、測定対象となる周波数帯域（ｉｎｔｒａ−ｆｒｅｑｕｅｎｃｙ、ｉｎｔｅｒ−ｆｒｅｑｕｅｎｃｙ）、ｉｎｔｅｒ−ｆｒｅｑｕｅｎｃｙ測定のための測定ギャップ（ｍｅａｓｕｒｅｍｅｎｔ  ｇａｐ）などに関する情報が測定制御メッセージを介して伝送されてもよい。
【００６４】
一方、測定制御メッセージには、ハンドオーバをトリガするイベントに関する情報が含まれてもよい。移動セルに多重搬送波が設定される場合、ハンドオーバをトリガするイベントは搬送波別に設定されてもよい。一方、上述した端末の測定報告のためのイベントが、移動セルのハンドオーバをトリガするイベントとして再利用されてもよい。これとは異なり、移動セルのハンドオーバをトリガするイベントが新たに定義されてもよい。
【００６５】
一方、移動セルがターゲット基地局に接続するためには、ターゲット基地局と任意接続手順を行う必要がある。もし、移動セルが、ハンドオーバではなく、初期接続のように任意接続手順を競合に基づいて行う場合、移動セルは、任意接続手順で他の端末又は他の移動セルとランダムアクセスプリアンブル及び／又はＲＡ−ＲＮＴＩが互いに衝突するおそれがある。例えば、ＲＡ−ＲＮＴＩは、ランダムアクセスプリアンブルを伝送した時間／周波数関数として決定される識別子であるため、移動セルが伝送したランダムアクセスプリアンブルと、他の移動セル又は端末が伝送したランダムアクセスプリアンブルとが偶然に同一である場合、ＲＡ−ＲＮＴＩが衝突し、競合解消手順が行われる。このような競合解消手順は、ハンドオーバの実行において時間遅延をもたらすため、非競合ベースのランダムアクセスが行われることが好ましい。
【００６６】
移動セルが非競合ベースのランダムアクセスを行うことができるように、測定制御メッセージは、移動セルが伝送するランダムアクセスプリアンブルを含むことができる。例えば、測定制御メッセージは、ターゲット基地局が移動セルに割り当てたランダムアクセスプリアンブルを含むことができる。一方、ターゲット基地局は移動セルが決定するようになるため、ソース基地局が測定制御メッセージを伝送する時に、ソース基地局は、どの隣接セルがターゲット基地局となるかを知ることができない。したがって、ソース基地局は、測定制御メッセージに多数の隣接セルのランダムアクセスプリアンブルを含ませることができる。この場合、ランダムアクセスプリアンブルと隣接セルの識別子が互いにマッピングされ、測定報告メッセージに含まれてもよい。
【００６７】
一方、ソース基地局には、隣接セルが割り当てたランダムアクセスプリアンブルが予め格納されていてもよい。例えば、ソース基地局には、隣接基地局Ａから予め割り当てられたランダムアクセスプリアンブルＢが格納されていてもよい。ソース基地局が測定制御メッセージを介して移動セルＣにランダムアクセスプリアンブルＢを伝達した場合、ソース基地局は、隣接基地局Ａに、ランダムアクセスプリアンブルＢを伝送するものが移動セルＣであることを予め知らせることができる。このとき、移動セルの識別子を含む移動セルのコンテキスト情報が隣接セルに伝達され得る。
【００６８】
他の一実施例によれば、移動セルが競合ベースのランダムアクセスを行うが、端末と競合することを防止するために、ランダムアクセスプリアンブルを、移動セルのためのランダムアクセスプリアンブルタイプと、端末のためのランダムアクセスプリアンブルタイプとに区分することができる。このとき、移動セルのランダムアクセス手順は、他の移動セルのランダムアクセス手順と衝突する可能性があるが、移動セルの個体数が非常に低い場合、衝突可能性もまた非常に低くなる。移動セルが競合ベースのランダムアクセスを行う場合、測定制御メッセージにはランダムアクセスプリアンブルは含まれない。
【００６９】
測定制御メッセージを受信した移動セルは、測定を行い、ハンドオーバを行うか否かを決定する（Ｓ８０５）。例えば、移動セルは、測定制御メッセージに基づいてサービングセルと隣接セルを測定し、測定結果に基づいて、ハンドオーバを行うか否かを決定する。一実施例によれば、移動セルが単純にハンドオーバを行うか否かを決定し、ソース基地局にハンドオーバを要求することもできるが、他の一実施例によれば、移動セルは、ハンドオーバを行うことに決定した場合、ターゲット基地局も自分で決定することができる。すなわち、移動セルは、測定結果に基づいて、隣接セルのうちターゲット基地局を決定することができる。隣接セルの測定結果は、隣接セルが伝送したＲＳを介して取得されたＲＳＲＰ及び／又はＲＳＲＱであってもよい。
【００７０】
一方、移動セルが物理的に移動することによって、ＲＳＲＰ及びＲＳＲＱの測定値は、時間によって動的に変更され得る。したがって、いずれか一つの時点でのみ測定されたＲＳＲＰ／ＲＳＲＱを用いてターゲット基地局を決定するよりは、移動セルの移動方向に沿って最適のＲＳＲＰ／ＲＳＲＱを提供する隣接セルをターゲット基地局として決定することができる。例えば、第１時点で第１隣接セルのＲＳＲＰ／ＲＳＲＱが第２隣接セルのＲＳＲＰ／ＲＳＲＱよりも大きくても、第１時点以降に第２時点での第１隣接セルのＲＳＲＰ／ＲＳＲＱが第２隣接セルのＲＳＲＰ／ＲＳＲＱよりも小さくなる場合、移動セルは第１隣接セルから遠くなり、第２隣接セルと近接する方向へ移動するものと見なすことができる。このように、移動セルは、互いに異なる時点で取得された隣接セルの測定結果を累積してターゲットセルを決定することが好ましい。
【００７１】
例えば、第２隣接セルのＲＳＲＰ／ＲＳＲＱの増加勾配が所定の閾値を超える場合、第２隣接セルがターゲット基地局として決定され、第２基地局へのハンドオーバがトリガされ得る。このとき、所定の閾値は、移動セルに予め設定されたり、測定値から取得されたり、又はソース基地局が測定制御メッセージを介して移動セルに伝達した値であってもよく、これに限定されない。例えば、ハンドオーバをトリガするイベントは、ｉ）サービングセル（ｓｅｒｖｉｎｇ  ｃｅｌｌ）に対する測定値が減少する勾配が絶対閾値よりも大きい場合、ｉｉ）サービングセルに対する測定値が絶対閾値よりも小さくなる場合、ｉｉｉ）隣接セル（ｎｅｉｇｈｂｏｒｉｎｇ）に対する測定値が増加する勾配がサービングセルの測定値が減少する勾配よりもオフセット値だけ大きくなる場合、ｉｖ）隣接セルに対する測定値が増加する勾配が絶対閾値よりも大きくなる場合、及びｖ）サービングセルに対する測定値が絶対閾値よりも小さくなり、隣接セルに対する測定値が増加する勾配が他の絶対閾値よりも大きくなる場合のうちの少なくとも１つのイベントが含まれてもよく、これに限定されない。このように、ターゲット基地局を選択し、ハンドオーバを行うか否かを決定するにおいて、ＲＳＲＰ／ＲＳＲＱの時間当たりの変化量を考慮することができる。
【００７２】
移動セルは、ターゲット基地局へのハンドオーバのために下りリンク同期を取得し、ランダムアクセスプリアンブルを含むハンドオーバ要求メッセージを伝送する（Ｓ８１０）。このとき、移動セルは、ソース基地局との接続を解除せず、ターゲット基地局に下りリンク同期を取得し、ランダムアクセスプリアンブルを伝送する。したがって、移動セルは、移動セルに接続した端末のために、ソース基地局と上りリンク／下りリンクデータを送受信することができる。ハンドオーバ要求メッセージには、移動セルのコンテキストに関する情報が含まれていてもよい。他の実施例では、ソース基地局が移動セルのコンテキストに関する情報を隣接基地局に伝送することによって、ターゲット基地局が移動セルのコンテキストに関する情報を取得することもできる。
【００７３】
ターゲット基地局は、移動セルのコンテキストに関する情報に基づいて、移動セルのハンドオーバに対する承認制御を行う（Ｓ８１５）。
【００７４】
移動セルのハンドオーバが承認される場合、ターゲット基地局は、ＵＬ伝送のためのリソース及びＴＡ情報を移動セルに伝送する（Ｓ８２０）。なお、ターゲット基地局は、移動セルのハンドオーバの承認を知らせるハンドオーバ受諾（Ｈａｎｄｏｖｅｒ  Ａｃｃｅｐｔ）メッセージをソース基地局に伝送する（Ｓ８２５）。ハンドオーバ受諾メッセージには、ターゲット基地局によって受諾される又は受諾されないＥ−ＲＡＢ情報などが含まれてもよい。
【００７５】
ハンドオーバ受諾メッセージを受信したソース基地局は、移動セルにＲＲＣ接続再設定（Ｃｏｎｎｅｃｔｉｏｎ  Ｒｅｃｏｎｆｉｇｕｒａｔｉｏｎ）メッセージを伝送する（Ｓ８３０）。移動セルは、ＲＲＣ接続再設定メッセージが受信されると、ソース基地局との分離（Ｄｅｔａｃｈ）手順を行う。したがって、ＲＲＣ接続再設定メッセージの受信によってデータ切れが開始される。
【００７６】
一方、移動セルには、ターゲット基地局以外にも、隣接基地局が割り当てたＣ−ＲＮＴＩ又はランダムアクセスプリアンブルなどが使用されていない状態で格納されていてもよい。ソース基地局は、ＲＲＣ接続再設定メッセージを介して、隣接基地局が割り当てたＣ−ＲＮＴＩ又はランダムアクセスプリアンブルの削除を移動セルに指示することができる。移動セルは、ＲＲＣ接続再設定メッセージの指示によって、基地局が割り当てたＣ−ＲＮＴＩ又はランダムアクセスプリアンブルを削除する。
【００７７】
一方、一実施例によれば、ターゲット基地局以外の隣接基地局も、移動セルのコンテキスト情報や移動セルのハンドオーバ履歴に関する情報をソース基地局から予め取得して格納していてもよい。ソース基地局は、ハンドオーバ受諾メッセージの受信によって、ターゲット基地局以外の隣接基地局に移動セルのコンテキスト情報や移動セルのハンドオーバ履歴に関する情報などを削除することを指示することができる。
【００７８】
ソース基地局は、ハンドオーバ受諾メッセージの受信によって、ＳＮ状態伝達（Ｓｔａｔｕｓ  Ｔｒａｎｓｆｅｒ）メッセージをターゲット基地局に伝送する（Ｓ８４０）。移動セルは、ＲＲＣ接続再設定メッセージに基づいてターゲット基地局とのＲＲＣ設定を完了し、ターゲット基地局にＲＲＣ接続再設定完了（Ｃｏｎｎｅｃｔｉｏｎ  Ｒｅｃｏｎｆｉｇｕｒａｔｉｏｎ  Ｃｏｍｐｌｅｔｅ）メッセージを伝送する（Ｓ８４５）。
【００７９】
一方、ハンドオーバ受諾メッセージは、ターゲット基地局によって承認制御が行われた後、直ちにソース基地局に伝達されてもよい。
【００８０】
上述した移動セルのハンドオーバ方法では、移動セルがソース基地局との接続を維持したまま、ターゲット基地局との接続を試みるため、データ切れ時間が減少する。例えば、移動セルは、ソース基地局からデータを受信しながら、ターゲット基地局との接続を試みる。ターゲット基地局との接続の試みの後にソース基地局と分離するため、移動セルがソース基地局との接続を切ってターゲット基地局に移るまでにかかる時間が減少する。端末のハンドオーバ方法が「Ｂｒｅａｋ  ｂｅｆｏｒｅ  Ｍａｋｅ」形態の手順であったら、移動セルのハンドオーバ方法は「Ｍａｋｅ  ｂｅｆｏｒｅ  Ｂｒｅａｋ」と見ることができる。表６は、本発明の一実施例によって移動セルのハンドオーバにかかる時間を示す。
【表６】
0006580585.tif 000007
【００８１】
図９は、本発明の他の一実施例に係る移動セルのハンドオーバ手順を示した図である。図８と重複する内容は説明を省略し、図８の実施例と異なる点を中心に説明する。
【００８２】
図９を参照すると、ソース基地局は、移動セルに測定制御メッセージを伝送する（Ｓ９００）。測定制御メッセージを受信した移動セルは測定を行い、ハンドオーバを行うか否かを決定する（Ｓ９０５）。移動セルは、ターゲット基地局へのハンドオーバのために下りリンク同期化を行い、ランダムアクセスプリアンブルを含むハンドオーバ要求メッセージを伝送する（Ｓ９１０）。ターゲット基地局は、移動セルのハンドオーバに対する承認制御を行う（Ｓ９１５）。移動セルのハンドオーバが承認される場合、ターゲット基地局は、ＵＬ伝送のためのリソース及び上りリンク同期のためのＴＡ情報を移動セルに伝送する（Ｓ９２０）。図８と同様に、移動セルは、ソース基地局との接続を切っていない状態でターゲット基地局と下りリンク同期化を行い、及びランダムアクセスプリアンブルを伝送する。
【００８３】
移動セルは、ターゲット基地局にＲＲＣ接続再設定要求（ＲＲＣ  Ｃｏｎｎｅｃｔｉｏｎ  Ｒｅｃｏｎｆｉｇｕｒａｔｉｏｎ  Ｒｅｑｕｅｓｔ）メッセージを伝送する（Ｓ９２５）。ＲＲＣ接続再設定要求メッセージは、移動セルのＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）、ソース基地局又はターゲット基地局から事前に取得した移動セルのＣ−ＲＮＴＩ情報、及びＲＲＣ接続再設定要求のＣａｕｓｅ値のうちの少なくとも１つを含むことができる。移動セルのハンドオーバのために、ＲＲＣ接続再設定要求のＣａｕｓｅ値はハンドオーバに対応する値に設定される。
【００８４】
ターゲット基地局は、ＲＲＣ接続再設定要求に対する応答としてＲＲＣ接続再設定メッセージを移動セルに伝送する（Ｓ９３０）。すなわち、ターゲット基地局とのＲＲＣ再設定に必要な情報をターゲット基地局が直接移動セルに伝送する。図８の実施例では、ターゲット基地局とのＲＲＣ再設定に必要な情報がソース基地局を介して移動セルに伝達されたが、図９の実施例では、ターゲット基地局がＲＲＣ再設定メッセージを直接伝送している。ＲＲＣ接続再設定メッセージは、ターゲット基地局以外の隣接基地局から割り当てられて移動セルに格納された識別子（例えば、Ｃ−ＲＮＴＩ）、ランダムアクセスプリアンブルの削除を指示するインジケーション（Ｉｎｄｉｃａｔｉｏｎ）を含むことができる。移動セルは、ターゲット基地局を除いた隣接基地局から割り当てられた識別子及びランダムアクセスプリアンブルを削除する。
【００８５】
移動セルは、ＲＲＣ再設定が完了すると、ターゲットセルにＲＲＣ再設定完了メッセージを伝送する（Ｓ９３５）。
【００８６】
ターゲット基地局は、移動セルのハンドオーバが受諾及び完了したことをソース基地局に通知するために、ハンドオーバ受諾メッセージをソース基地局に伝送する（Ｓ９４０）。ハンドオーバ受諾メッセージには、ターゲット基地局によって受諾される又は受諾されないＥ−ＲＡＢ情報が含まれてもよい。ハンドオーバ受諾メッセージを受信したソース基地局は、移動セルと分離（ｄｅｔａｃｈ）する。ソース基地局が移動セルを分離するために、移動セルと依然として維持しているＲＲＣシグナリングが用いられてもよい。例えば、ソース基地局がターゲット基地局からハンドオーバ受諾メッセージを受信した後、移動セルに、自身と分離（Ｄｅｔａｃｈ）するようにＲＲＣシグナリングを伝送することができる。または、ソース基地局は、移動セルからＲＲＣ接続セットアップ（ＲＲＣ  Ｃｏｎｎｅｃｔｉｏｎ  Ｓｅｔｕｐ）メッセージを受信した後、直ちに移動セルと分離する。
【００８７】
本実施例では、移動セルがターゲット基地局とＲＲＣ接続を設定し、ソース基地局と分離されるので、データ切れ時間が発生しない。一方、図９の実施例は、移動セルの移動軌跡が一定のパターンを有するか、または予測可能な場合に適用されることが有利である。
【００８８】
以下、移動セルの移動軌跡を考慮したハンドオーバ方法に関する実施例を詳細に説明する。
【００８９】
固定された移動軌跡を有する移動セルのハンドオーバ前処理（ｐｒｅ−ｐｒｏｃｅｓｓｉｎｇ）
移動セルがバス路線、汽車線路などに沿って移動する場合、移動セルの次の位置を予測することができる。このように、移動セルの動きがパターンを有したり、事前に通知されたり、規則的であったり（ｒｅｇｕｌａｒ）、又は一定である（ｃｏｎｓｉｓｔｅｎｔ）場合を、固定された移動軌跡（ｆｉｘｅｄ−ｍｏｖｉｎｇ  ｐａｔｈ）と表現する。
【００９０】
固定された移動軌跡上に位置した基地局は、移動セルの移動軌跡に関する情報を共有することができる。例えば、移動セルがハンドオーバする基地局のリストと順序に関する情報が各基地局に共有されてもよい。
【００９１】
図７に示された端末のハンドオーバ方法では、端末が測定を行うとき、端末は、ターゲット基地局のシステム情報（例えば、ＭＩＢ／ＳＩＢ）又はＲＲＣ設定を取得していない状態である。端末は、ハンドオーバ命令メッセージ、すなわち、ＲＲＣ接続再設定メッセージを介してターゲット基地局のシステム情報及びＲＲＣ設定に関する情報を取得する。一方、ＲＲＣ接続再設定メッセージを介して取得されるターゲット基地局のシステム情報は、ＳＩＢ  ２に含まれたＲａｄｉｏＲｅｓｏｕｒｃｅＣｏｎｆｉｇＣｏｍｍｏｎＳＩＢ  ＩＥである。したがって、端末がターゲット基地局の他のシステム情報を取得するためには、ターゲット基地局に同期化された後に、ターゲット基地局が下りリンク共有チャネルを介して伝送されるＳＩＢ（ＳＩＢ  １〜１４など）を受信しなければならない。
【００９２】
本発明の一実施例によれば、移動セルは、ハンドオーバを開始する前にターゲット基地局のシステム情報又はＲＲＣ設定に関する情報を予め取得することができる。例えば、移動セルは、隣接セルの測定を行う前に、ターゲット基地局のシステム情報及びＲＲＣ設定に関する情報を取得することができる。したがって、移動セルは、ターゲット基地局にハンドオーバを行った後に別途にターゲット基地局のシステム情報を取得する必要がなく、したがって、移動セルに接続した端末のデータ切れ時間を最小化することができる。
【００９３】
前述したように、端末が非競合ベースのランダムアクセスを行うためには、ターゲット基地局で使用された端末の専用ランダムアクセスプリアンブル（Ｄｅｄｉｃａｔｅｄ  Ｒａｎｄｏｍ  Ａｃｃｅｓｓ  Ｐｒｅａｍｂｌｅ）及びＣ−ＲＮＴＩが移動セルに割り当てられなければならない。一方、ソース基地局は、移動セルのコンテキスト（Ｃｏｎｔｅｘｔ）情報、ハンドオーバの履歴（Ｈｉｓｔｏｒｙ）に関する情報などを、移動セルのハンドオーバの前にターゲット基地局又はターゲット基地局の候補となる隣接基地局に予め伝達することができる。このように、情報の事前交換を含むハンドオーバ前処理過程を行うことができる。
【００９４】
移動セルの移動軌跡が固定された場合、移動軌跡上に位置する基地局のうち少なくとも２つ以上の基地局が一つの移動セルの識別子（例えば、Ｃ−ＲＮＴＩ）を共有することができる。例えば、ハンドオーバの前に使用されていた移動セルの識別子が、ハンドオーバ後にターゲット基地局でも再利用されてもよい。図１０を参照すると、移動軌跡上に位置する基地局は、移動セルのために一つの永久的な識別子を割り当てる。一般的に、Ｃ−ＲＮＴＩは、サービングセル内でのみユニークなＩＤであるため、端末がハンドオーバを行う場合、端末はターゲット基地局内で使用する新しいＣ−ＲＮＴＩが割り当てられなければならない。本願発明の実施例に係る移動セルのＩＤは、移動軌跡上の基地局内でユニークなＩＤである。
【００９５】
図１０及び図１１を参照すると、移動セルが現在の第１基地局に位置しており、固定された移動軌跡に沿って第２基地局にハンドオーバすることが予定されていると仮定する。すなわち、第１基地局がサービング基地局であり、第２基地局がターゲット基地局であると仮定する。
【００９６】
第１基地局は、第２基地局に、移動セルの識別子、移動セルのコンテキスト情報、及び移動セルのハンドオーバ履歴のうちの少なくとも１つを含むハンドオーバ前処理要求メッセージを伝送することができる（Ｓ１１００）。例えば、移動セルが、ハンドオーバ又は初期接続を通じて第１基地局にＲＲＣ接続を設定する場合、第１基地局は、移動セルのハンドオーバ手順が開始される前にハンドオーバ前処理要求メッセージを第２基地局に伝送することができる。ハンドオーバ履歴に関する情報は、移動セルがどの基地局にハンドオーバするかを把握するために使用することができる。
【００９７】
第２基地局は、ハンドオーバ前処理要求メッセージに対する応答として、移動セル専用のランダムアクセスプリアンブル、ターゲット基地局のシステム情報、及びターゲット基地局のＲＲＣ設定情報のうちの少なくとも１つを含むハンドオーバ前処理応答メッセージを第１基地局に伝送する（Ｓ１１０５）。ターゲット基地局のＲＲＣ設定情報は、ＭｏｂｉｌｉｔｙＣｏｎｔｒｏｌＩｎｆｏ  ＩＥ、ＭｅａｓＣｏｎｆｉｇ  ＩＥ、ＳｅｃｕｒｉｔｙＣｏｎｆｉｇＨＯ  ＩＥのうちの少なくとも１つを含むことができる。
【００９８】
第１基地局は、第２基地局から受信されたハンドオーバ前処理応答メッセージに含まれたランダムアクセスプリアンブル、ターゲット基地局のシステム情報、及びターゲット基地局のＲＲＣ設定情報のうちの少なくとも１つを移動セルに伝送する（Ｓ１１１０）。
【００９９】
一方、移動セルの永久的な識別子の割り当ては、移動軌跡に存在する全ての基地局に対してユニークに割り当てられてもよく、ＴＡ（Ｔｒａｃｋｉｎｇ  Ａｒｅａ）単位でユニークに割り当てられてもよい。
【０１００】
一方、移動軌跡上に沿って多数のＣｅｌｌが存在すれば、移動セルの測定オーバーヘッドが大きくなり得る。このような測定オーバーヘッドを減少させるために、ソース又はターゲット基地局が、移動セルが測定しなければならない測定オブジェクト（Ｗｈｉｔｅ  Ｃｅｌｌ）、または測定してはならない（Ｂｌａｃｋ  Ｃｅｌｌ）に対する情報を含む、測定設定（測定制御）メッセージを移動セルにＲＲＣシグナリングすることができる。このとき、ホワイトセルは、移動軌跡上に位置するセルであり、ブラックセルは、移動軌跡から遠距離に位置したセルであってもよく、これに限定されない。
【０１０１】
非−固定移動軌跡を有する移動セルのハンドオーバ前処理（ｐｒｅ−ｐｒｏｃｅｓｓｉｎｇ）
一方、移動軌跡が一定でない場合、ハンドオーバ前処理過程を行う例示的な実施例を説明する。前述した説明と重複する説明は省略する。
【０１０２】
移動セルがハンドオーバを行うことができる潜在的なターゲット基地局の候補を、候補基地局又は候補セルと呼ぶことにする。
【０１０３】
移動軌跡が固定されていないため、移動軌跡上の基地局でユニークな永久的な識別子を割り当てることは難しい。すなわち、どの基地局が移動軌跡上に位置するかを知ることができないためである。もし、全ての基地局で移動セルに対してユニークなＩＤを割り当てる場合、移動セルがハンドオーバを行わない基地局までも移動セルのために識別子を割り当てなければならない。しかし、識別子の数は制限的であるため、全ての基地局で移動セルに対してユニークなＩＤを割り当てる方法は、識別子利用の観点で非効率的である。
【０１０４】
したがって、移動軌跡が固定されていない実施例では、各サービング基地局（又はセル）内でのみユニークな識別子（例えば、Ｃ−ＲＮＴＩ）が割り当てられると仮定する。ハンドオーバ前処理過程では、サービング基地局は、移動セルがハンドオーバ後に使用する識別子を候補基地局から要求し、移動セルのハンドオーバの開始前に予め知らせることができる。
【０１０５】
ソース基地局で候補基地局をどのように決定できるかが問題となるが、本発明の一実施例によれば、移動通信システムでのＥ−ＳＭＬＣ（Ｅｖｏｌｖｅｄ  Ｓｅｒｖｉｎｇ  Ｍｏｂｉｌｅ  Ｌｏｃａｔｉｏｎ  Ｃｅｎｔｅｒ）を用いることができる。Ｅ−ＳＭＬＣは、端末又は移動セルの移動性及び位置測定を管理するネットワークノードである。Ｅ−ＳＭＬＣは、移動セルの位置に基づいて、どのような隣接基地局が存在するかを知ることができる。Ｅ−ＳＭＬＣは、ソース基地局から受信した情報、例えば、移動セルの識別子又は移動セルのハンドオーバ履歴に関する情報に基づいて、移動セルが潜在的にハンドオーバを行うことができる候補基地局を決定する。ソース基地局は、Ｅ−ＳＭＬＣから受信した情報を通じて、移動セルの潜在的なハンドオーバターゲット基地局を把握し、ターゲット基地局にハンドオーバ前処理要求メッセージを伝送する。
【０１０６】
更に他の実施例では、移動セルが候補基地局を決定することもできる。例えば、移動セルが、測定を通じて潜在的なハンドオーバ基地局、すなわち、候補基地局を認知すると、移動セルは、候補基地局に対する情報をソース基地局に伝送する。ソース基地局は、ハンドオーバ前処理要求メッセージを候補基地局に伝送する。
【０１０７】
図１２及び図１３を参照すると、現在の移動セルは現在ｅＮＢ  ４に位置し、ｅＮＢ  １、５、７が候補基地局であると仮定する。移動セルが初期接続又はハンドオーバを通じてソース基地局に接続する。
【０１０８】
移動セルがソース基地局に接続すると、ソース基地局は、候補基地局に対する情報を要求する隣接基地局情報要求（Ｎｅｉｇｈｂｏｒ  ｅＮＢ／Ｃｅｌｌ  Ｉｎｆｏ  Ｒｅｑｕｅｓｔ）メッセージをＥ−ＳＭＬＣに伝送する（Ｓ１３００）。隣接基地局情報要求メッセージは、移動セルのハンドオーバ履歴に関する情報を含むことができる。ソース基地局がＥ−ＳＭＬＣと送受信するメッセージは、ＬＰＰａ（ＬＴＥ  Ｐｏｓｉｔｉｏｎｉｎｇ  Ｐｒｏｔｏｃｏｌ  Ａ）に基づいたフォーマットであってもよい。ＬＰＰａは、３ＧＰＰ  ＴＳ  ３６．４５５によって定義される。
【０１０９】
Ｅ−ＳＭＬＣは、移動セルのハンドオーバ履歴に関する情報に基づいて、移動セルが潜在的にハンドオーバ可能であると判断される候補基地局を決定する。Ｅ−ＳＭＬＣは、候補基地局を決定するときにターゲット基地局の的中率（Ｈｉｔ  Ｒａｔｉｏ）を高めるために、候補基地局の数を制限することができる。Ｅ−ＳＭＬＣは、決定された候補基地局に関する情報を含む隣接基地局情報応答メッセージをソース基地局に伝送する（Ｓ１３０５）。
【０１１０】
ソース基地局は、移動セルのコンテキスト及びハンドオーバ履歴に関する情報を含むハンドオーバ前処理要求メッセージを、ターゲット基地局を含む候補基地局に伝送する（Ｓ１３１０）。
【０１１１】
候補基地局は、移動セルのためのＣ−ＲＮＴＩ、ランダムアクセスプリアンブル、候補基地局のシステム情報、及び候補基地局のＲＲＣ設定情報のうちの少なくとも１つを含むハンドオーバ前処理応答メッセージをソース基地局に伝送する（Ｓ１３１５）。
【０１１２】
ソース基地局は、候補基地局から受信された情報を移動セルに伝送する（Ｓ１３２０）。この場合にも、ソース又は候補基地局は、測定対象となるセルに対する情報、及び測定してはならないセルに対する情報を移動セルに伝送することができる。
【０１１３】
図１４は、本発明の更に他の一実施例に係るハンドオーバ方法の流れを示した図である。図１４を参照すると、移動セル、移動端末、ソース基地局及びターゲット基地局が図示される。移動セルと移動端末は、それぞれソース基地局によってサーブされると仮定する。上述した実施例と重複する部分は説明を省略する。したがって、上述した内容を参照することができる。
【０１１４】
ソース基地局に移動個体（ｍｏｖｉｎｇ  ｅｎｔｉｔｙ）が接続する。移動個体とは、移動性を有するネットワーク個体であって、移動セルと移動端末を包括する。移動個体は、ソース基地局に初期接続するか、又は他の基地局からハンドオーバしてソース基地局に接続してもよい。
【０１１５】
ソース基地局は、移動個体が接続すると、接続した移動個体が移動端末であるか、又は移動セルであるかを判断する（Ｓ１４００）。
【０１１６】
移動個体が移動セルである場合、ソース基地局は、ハンドオーバ前処理要求メッセージをターゲット基地局を含む隣接基地局に伝送する（Ｓ１４３０）。ハンドオーバ前処理要求メッセージは、移動セルのハンドオーバ履歴に関する情報を含むことができる。
【０１１７】
隣接基地局は、ハンドオーバ前処理応答メッセージをソース基地局に伝送する（Ｓ１４３５）。ハンドオーバ前処理応答メッセージは、移動セルがハンドオーバを行った後に使用する識別子、隣接基地局が割り当てたランダムアクセスプリアンブルに関する情報のうちの少なくとも１つを含むことができる。
【０１１８】
ソース基地局は、隣接基地局に対する測定設定、及び移動セルがハンドオーバを開始するか否かを決定するのに必要な情報を含む測定設定メッセージを、移動セルに伝送する（Ｓ１４４０）。ソース基地局は、ハンドオーバ前処理応答メッセージを介して取得した情報を移動セルに伝送することができる。
【０１１９】
移動セルは、隣接基地局を測定した結果に基づいて、ハンドオーバを開始するか否か及びターゲット基地局を決定する。ハンドオーバの開始及びターゲット基地局が決定された場合、移動セルは、ターゲット基地局と非競合ベースのランダムアクセス手順を行う（Ｓ１４４５）。すなわち、移動セルは、ターゲット基地局からハンドオーバの開始前に割り当てられたランダムアクセスプリアンブルをターゲット基地局に伝送する。
【０１２０】
ターゲット基地局がハンドオーバを受諾する場合、ハンドオーバ受諾メッセージをソース基地局に伝送する（Ｓ１４５０）。
【０１２１】
ソース基地局は、移動個体にＲＲＣ（Ｒａｄｉｏ  Ｒｅｓｏｕｒｃｅ  Ｃｏｎｔｒｏｌ）接続を再設定することを指示するＲＲＣ接続再設定メッセージを伝送する（Ｓ１４５５）。
【０１２２】
一方、ソース基地局は、ハンドオーバ受諾メッセージの受信によって、ターゲット基地局を除いた残りの隣接基地局が割り当てた移動セルのための識別子及び／又はランダムアクセスプリアンブルを残りの隣接基地局に返す。また、移動セルは、ターゲット基地局を除いた残りの隣接基地局が割り当てたランダムアクセスプリアンブルを削除する。
【０１２３】
このような移動セルのハンドオーバは、移動セルによってサーブされる移動端末に透明（ｔｒａｎｓｐａｒｅｎｔ）に行われ得る。
【０１２４】
移動個体が移動端末である場合、ソース基地局は、隣接基地局に対する測定設定（ｍｅａｓｕｒｅｍｅｎｔ  ｃｏｎｆｉｇｕｒａｔｉｏｎ）を含む測定設定メッセージを移動個体に伝送する（Ｓ１４０５）。すなわち、ソース基地局は、移動端末には、ハンドオーバの開始を決定するための情報を伝送しない。移動個体が移動端末である場合、サービング基地局がハンドオーバの開始及びターゲット基地局を決定するためである。一方、移動個体が移動セルである場合、移動セルがハンドオーバの開始及びターゲット基地局を決定する。
【０１２５】
ソース基地局は、移動端末から測定報告を受信する（Ｓ１４１０）。ソース基地局は、測定報告に基づいて、端末がハンドオーバを開始するか否か及びターゲット基地局を決定する。このように、移動個体（ｍｏｖｉｎｇ  ｅｎｔｉｔｙ）が移動端末（ｍｏｂｉｌｅ  ｔｅｒｍｉｎａｌ）であるか、又は移動セル（ｍｏｖｉｎｇ  ｃｅｌｌ）であるかによって、ハンドオーバの開始（ｉｎｉｔｉａｔｉｏｎ）及びターゲット基地局を選択する方式が決定される。
【０１２６】
ソース基地局は、ターゲット基地局にハンドオーバ要求を伝送し（Ｓ１４１５）、ターゲット基地局からハンドオーバ受諾メッセージ（ｈａｎｄｏｖｅｒ  ａｃｃｅｐｔ）を受信する（Ｓ１４２０）。
【０１２７】
ソース基地局は、移動端末にＲＲＣ（Ｒａｄｉｏ  Ｒｅｓｏｕｒｃｅ  Ｃｏｎｔｒｏｌ）接続を再設定することを指示するＲＲＣ接続再設定メッセージを伝送する（Ｓ１４２５）。移動端末に伝送するＲＲＣ接続再設定メッセージは、ターゲット基地局が割り当てたランダムアクセスプリアンブルを含むことができる。すなわち、移動個体が移動端末である場合、ランダムアクセスプリアンブルは、ＲＲＣ接続再設定メッセージを介してハンドオーバの開始後に移動端末に提供される。一方、移動個体が移動セルである場合、ターゲット基地局から割り当てられたランダムアクセスプリアンブルはハンドオーバの開始前に移動セルに提供される。
【０１２８】
一方、移動セルで移動端末のハンドオーバは、上述した移動端末のハンドオーバ手順に従って行うことができる。例えば、移動セルでサーブされる移動端末がハンドオーバを行う場合、移動セルは、移動端末がランダムアクセスプリアンブルを伝送する前に移動端末のＲＲＣ接続を解除する。
【０１２９】
図１５は、本発明の更に他の一実施例に係るハンドオーバ前処理方法の流れを示した図である。前述した説明と重複する事項は説明を省略する。
【０１３０】
まず、ソース基地局は、移動セルのハンドオーバ履歴に関する情報に基づいて、移動セルが固定された移動軌跡を有するか、又は固定されていない移動軌跡を有するかを判断する（Ｓ１５００）。
【０１３１】
もし、固定されていない移動軌跡を有すると判断されると、Ｅ−ＳＭＬＣに隣接基地局情報を要求する（Ｓ１５０５）。例えば、ソース基地局は、移動セルのハンドオーバ履歴に関する情報を含むメッセージをＥ−ＳＭＬＣに伝送する。
【０１３２】
Ｅ−ＳＭＬＣは、隣接基地局のリストを含む隣接基地局情報応答メッセージを伝送する（Ｓ１５１０）。隣接基地局のリストには、例えば、ターゲット基地局と第１隣接基地局が含まれると仮定する。
【０１３３】
ソース基地局は、ターゲット基地局及び第１隣接基地局にハンドオーバ前処理要求メッセージを伝送する（Ｓ１５１５）。ハンドオーバ前処理要求メッセージには、移動セルのハンドオーバ履歴に関する情報及び移動セルのコンテキスト情報が含まれてもよい。
【０１３４】
ソース基地局は、ターゲット基地局及び第１隣接基地局からそれぞれハンドオーバ前処理応答メッセージを受信する（Ｓ１５２０）。ハンドオーバ前処理応答メッセージには、ランダムアクセスプリアンブル、移動セルの識別子、ＲＲＣ設定に関する情報が含まれてもよい。
【０１３５】
ソース基地局は、ハンドオーバの開始前に移動セルにハンドオーバ前処理応答メッセージを伝達する（Ｓ１５２５）。
【０１３６】
移動セルは、ランダムアクセスプリアンブルをターゲット基地局に伝送する（Ｓ１５３０）。ランダムアクセスプリアンブルの伝送によってハンドオーバが開始される。
【０１３７】
ターゲット基地局は、ハンドオーバの受諾を知らせるハンドオーバ応答をソース基地局に伝送する（Ｓ１５３５）。
【０１３８】
ソース基地局は、移動セルによって使用されていないランダムアクセスプリアンブルを第１隣接基地局に返す（Ｓ１５４０）。一方、ソース基地局は、移動セルに第１隣接基地局が割り当てた識別子を共に返すことができる。第１隣接基地局は、移動セルに割り当てられていたランダムアクセスプリアンブル及び識別子を回収し、他の移動セル又は端末に割り当てることができる。また、ソース基地局は、移動セルのハンドオーバ履歴に関する情報及びコンテキスト情報の削除を第１隣接基地局に指示することができる。
【０１３９】
ソース基地局は、第１隣接基地局のランダムアクセスプリアンブル、第１隣接基地局のＲＲＣ設定、第１隣接基地局のシステム情報、及び第１隣接基地局が割り当てた識別子を削除することを移動セルに指示することができる（Ｓ１５４５）。
【０１４０】
一方、移動セルが固定された移動軌跡を有する場合、ソース基地局は、移動セルが次にどの基地局にハンドオーバするかを知ることができる。すなわち、ソース基地局は、ターゲット基地局を把握することができる。
【０１４１】
ソース基地局は、ハンドオーバ前処理要求をターゲット基地局に伝送し（Ｓ１５５０）、ターゲット基地局からハンドオーバ前処理応答を受信して（Ｓ１５５５）、移動セルに伝達する（Ｓ１５６０）。移動セルのハンドオーバが開始されると（Ｓ１５６５）、ソース基地局は、ターゲット基地局からハンドオーバ応答を受信する（Ｓ１５７０）。一方、ソース基地局で移動セルに割り当てた識別子は、固定された移動軌跡上に位置した基地局で再利用されてもよい。
【０１４２】
図１６は、本発明の一実施例に係るセル（Ｃｅｌｌ）を示した図である。図１６に示されたセル１６００は、移動セル又は固定セルであってもよい。セル１６００が固定セルである場合、移動セルをサーブするサービング基地局であるか、又はサービング基地局の周辺に位置した隣接基地局であってもよい。セル１６００は、前述した実施例での移動セル又は固定セルの動作を行うことができる。
【０１４３】
セル１６００は、ＭＵ−ＭＩＭＯのための多数のアンテナ、無線インターフェース１６０１、バックホールインターフェース１６０２、メモリ１６０３及びプロセッサ１６０４を含む。バックホールインターフェース１６０２は、他のセル又は基地局とバックホールリンクを介してデータを送受信する。バックホールインターフェース１６０２が無線のバックホールリンクを形成する場合、バックホールインターフェース１６０２と無線インターフェース１６０１は一つのモジュールとして実現することができる。無線インターフェース１６０１は、多数のアンテナを介して端末と信号を送受信する。プロセッサ１６０４は、バックホールインターフェース１６０２、無線インターフェース１６０１及びメモリ１６０３を制御する。
【０１４４】
まず、セル１６００が移動セルのサービング基地局であって、サービング基地局が移動セルのハンドオーバのための前処理（ｐｒｅ−ｐｒｏｃｅｓｓｉｎｇ）を行うと仮定する。このとき、バックホールインターフェースは、サービング基地局の周辺に位置した少なくとも１つの隣接基地局に、移動セルのハンドオーバ履歴に関する情報を含むハンドオーバ前処理要求メッセージを伝送する。バックホールインターフェースは、隣接基地局から、隣接基地局が割り当てたランダムアクセスプリアンブル、隣接基地局のＲＲＣ（ｒａｄｉｏ  ｒｅｓｏｕｒｃｅ  ｃｏｎｔｒｏｌ）設定、及び隣接基地局のシステム情報のうちの少なくとも１つを含む前処理応答メッセージを受信する。無線インターフェースは、移動セルのハンドオーバの開始前に前処理応答メッセージを移動セルに伝送する。
【０１４５】
これとは異なり、セル１６００が移動セルのハンドオーバのための前処理（ｐｒｅ−ｐｒｏｃｅｓｓｉｎｇ）を行う隣接基地局であると仮定する。このとき、バックホールインターフェースは、サービング基地局から、移動セルのハンドオーバ履歴に関する情報を含むハンドオーバ前処理要求メッセージを受信する。バックホールインターフェースは、サービング基地局に、隣接基地局が割り当てたランダムアクセスプリアンブル、隣接基地局のＲＲＣ（ｒａｄｉｏ  ｒｅｓｏｕｒｃｅ  ｃｏｎｔｒｏｌ）設定、及び隣接基地局のシステム情報のうちの少なくとも１つを含む前処理応答メッセージを伝送する。隣接基地局が伝送した前処理応答メッセージは、移動セルのハンドオーバの開始前に移動セルに伝達される。
【０１４６】
他の一実施例によって、セル１６００が移動個体（ｍｏｖｉｎｇ  ｅｎｔｉｔｙ）のハンドオーバをサポートするサービング基地局である場合、無線インターフェースは、隣接基地局に対する測定設定（ｍｅａｓｕｒｅｍｅｎｔ  ｃｏｎｆｉｇｕｒａｔｉｏｎ）を含む測定設定メッセージを移動個体に伝送する。無線インターフェースは、移動個体にＲＲＣ（Ｒａｄｉｏ  Ｒｅｓｏｕｒｃｅ  Ｃｏｎｔｒｏｌ）接続を再設定することを指示するＲＲＣ接続再設定メッセージを伝送する。バックホールインターフェースは、隣接基地局のうち移動個体がハンドオーバするターゲット基地局から、ハンドオーバ受諾メッセージ（ｈａｎｄｏｖｅｒ  ａｃｃｅｐｔ）を受信する。このとき、移動個体が移動端末（ｍｏｂｉｌｅ  ｔｅｒｍｉｎａｌ）であるか、または移動セルであるかによって、ハンドオーバの開始（ｉｎｉｔｉａｔｉｏｎ）及びターゲット基地局を選択する方式が決定され得る。
【０１４７】
図１７は、本発明の一実施例に係る端末と基地局の構造を示した図である。
【０１４８】
基地局１０は、受信機１１、送信機１２、プロセッサ１３、メモリ１４及び複数個のアンテナ１５を含むことができる。複数個のアンテナ１５は、ＭＩＭＯ送受信をサポートする基地局を意味する。受信機１１は、端末からの上りリンク上の各種信号、データ及び情報を受信することができる。送信機１２は、端末への下りリンク上の各種信号、データ及び情報を伝送することができる。プロセッサ１３は、基地局１０全般の動作を制御することができる。
【０１４９】
基地局１０のプロセッサ１３は、その他にも、基地局１０が受信した情報、外部に伝送する情報などを演算処理する機能を行い、メモリ１４は、演算処理された情報などを所定時間の間格納することができ、バッファ（図示せず）などの構成要素に代替可能である。
【０１５０】
端末２０は、受信機２１、送信機２２、プロセッサ２３、メモリ２４及び複数個のアンテナ２５を含むことができる。複数個のアンテナ２５は、ＭＩＭＯ送受信をサポートする端末を意味する。受信機２１は、基地局からの下りリンク上の各種信号、データ及び情報を受信することができる。送信機２２は、基地局への上りリンク上の各種信号、データ及び情報を伝送することができる。プロセッサ２３は、端末２０全般の動作を制御することができる。
【０１５１】
端末２０のプロセッサ２３は、その他にも、端末２０が受信した情報、外部に伝送する情報などを演算処理する機能を行い、メモリ２４は、演算処理された情報などを所定時間の間格納することができ、バッファ（図示せず）などの構成要素に代替可能である。
【０１５２】
上述した本発明の実施例は、様々な手段を通じて具現することができる。例えば、本発明の実施例は、ハードウェア、ファームウエア（ｆｉｒｍｗａｒｅ）、ソフトウェア又はそれらの結合などによって具現することができる。
【０１５３】
ハードウェアによる具現の場合、本発明の実施例に係る方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現することができる。
【０１５４】
ファームウエアやソフトウェアによる具現の場合、本発明の実施例に係る方法は、以上で説明された機能又は動作を行うモジュール、手順又は関数などの形態で具現されてもよい。ソフトウェアコードは、メモリユニットに格納され、プロセッサによって駆動され得る。メモリユニットは、プロセッサの内部又は外部に位置して、公知の様々な手段によってプロセッサとデータを授受することができる。
【０１５５】
上述したように開示された本発明の好適な実施例に関する詳細な説明は、当業者が本発明を具現し、実施できるように提供されている。以上では、本発明の好適な実施例態を参照して説明したが、当該技術分野における熟練した当業者は、本発明の領域から逸脱しない範囲内で本発明を様々に修正及び変更させることができるということが理解できる。例えば、当業者は、上述した実施例に記載された各構成を組み合わせる方式で用いることができる。したがって、本発明は、ここに開示した実施形態に制限されるものではなく、ここに開示した原理及び新規な特徴と一致する最も広い範囲を付与するためのものである。
【０１５６】
本発明は、本発明の精神及び必須の特徴を逸脱しない範囲で他の特定の形態に具体化することができる。したがって、上記の詳細な説明は、いずれの面においても制限的に解釈してはならず、例示的なものとして考慮しなければならない。本発明の範囲は、添付の請求項の合理的解釈によって決定されなければならず、本発明の均等な範囲内における変更はいずれも本発明の範囲に含まれる。また、特許請求の範囲で明示的な引用関係を有しない請求項を結合して実施例を構成してもよく、出願後の補正によって新しい請求項として含めてもよい。
【産業上の利用可能性】
【０１５７】
上述したように、本発明の実施例は様々な移動通信システムに適用可能である。
【図１】
0006580585.tif 000008
【図２】
0006580585.tif 000009
【図３】
0006580585.tif 000010
【図４】
0006580585.tif 000011
【図５】
0006580585.tif 000012
【図６】
0006580585.tif 000013
【図７】
0006580585.tif 000014
【図８】
0006580585.tif 000015
【図９】
0006580585.tif 000016
【図１０】
0006580585.tif 000017
【図１１】
0006580585.tif 000018
【図１２】
0006580585.tif 000019
【図１３】
0006580585.tif 000020
【図１４】
0006580585.tif 000021
【図１５】
0006580585.tif 000022
【図１６】
0006580585.tif 000023
【図１７】
0006580585.tif 000024